(57)【要約】      （修正有）【課題】フィンで直進性を維持しながらそのフィンが海苔箱船の保管時に邪魔になることのない海苔箱船を提供する。【解決手段】海苔箱船の船底面１４の後部中央側部分に、上方に向って窪んだ曲面状凹部１５を形成し、船底面１４から下方に突出しないようにして曲面状凹部１５内にフィン１６を設けた。また、船底面１４を、船本体１１の幅方向の中央側部分で前後方向に延びた線状突出部１４ａと、線状突出部１４ａの両側に平行して設けられた線状凹部１４ｂ，１４ｃとで構成した。さらに、船本体１１を、略四角形の箱形に形成し、その角部に対応する部分を曲面部１２ａ，１２ｂ，１２ｃ，１２ｄに形成した。また、船本体１１の前面部１３を、船底面１４から上方に向って滑らかに湾曲した曲面に形成した。そして船本体１１の後端部に、船外機を取り付けるための取付用凹部１８を形成した。【選択図】図４
0003153119.tif 000002
【実用新案登録請求の範囲】
【請求項１】
船底面が扁平に形成された海苔箱船において、前記船底面の後部における船本体の幅方向の中央側部分に、上方に向って窪んだ曲面状凹部を形成し、前記曲面状凹部内に前記船本体の前後方向に延びるフィンを設けたことを特徴とする海苔箱船。
【請求項２】
前記フィンの下端縁部が、前記船底面から下方に突出しないようにした請求項１に記載の海苔箱船。
【請求項３】
前記船底面における少なくとも前部から中央部にかけての部分を、前記船本体の幅方向の中央側部分で前後方向に延びた線状突出部と、前記線状突出部の両側に平行して設けられた線状凹部とで構成した請求項１または２に記載の海苔箱船。
【請求項４】
前記船本体を、平面視が略四角形の箱形に形成し、その箱形の側面における角部に対応する部分を一方の側面から他方の側面に向って滑らかに湾曲した曲面に形成した請求項１ないし３のうちのいずれか一つに記載の海苔箱船。
【請求項５】
前記船本体の前面を、前記船底面から上方に向って滑らかに湾曲した曲面に形成した請求項１ないし４のうちのいずれか一つに記載の海苔箱船。
【請求項６】
前記船本体の後端部における幅方向の中央側部分に、船外機を取り付けるための取付用凹部を形成した請求項１ないし５のうちのいずれか一つに記載の海苔箱船。
【考案の詳細な説明】
【技術分野】
【０００１】
本考案は、養殖用の網に育成された海苔を摘み取る際に用いられる海苔箱船に関する。
【背景技術】
【０００２】
従来から、養殖用の網に育成された海苔を摘み取る際に、海苔箱船が用いられている（例えば、特許文献１参照）。この海苔箱船は、平面視で四角形に形成された底浅の箱形に形成され、船尾には、船外機が装備されている。そして、船内には回転式海苔摘み器が設置されており、海苔箱船が走航する際に、海苔が養殖された養殖網を回転式海苔摘み器の上を通過させながら養殖網の海苔を回転式海苔摘み器で摘み取る構成になっている。
【先行技術文献】
【特許文献】
【０００３】
【特許文献１】実用新案登録第３０５０２４７号公報
【考案の概要】
【０００４】
しかしながら、前述した従来の海苔箱船は、船底面が平面状に形成された四角箱状に形成されているため、直進性が悪いという問題がある。例えば、このような海苔箱船は、母船にロープで繋がれて、母船に曳航されながら漁場に向う場合があるが、このようなときに母船の曳き波の影響を受けて直進時でも左右に振れて安定した走航ができないことがある。このため、海苔箱船の船底にフィンを設けて直進性や保針性を保てるようにした海苔箱船もある。しかしながら、このフィンを備えた海苔箱船では、休業時等の海苔箱船を使用しないときに、海苔箱船を陸上で保管する場合、フィンが床面等のものに当たって破損したり、フィンが邪魔になって、海苔箱船を安定した姿勢で保管できなかったりするという問題が生じる。
【０００５】
本考案は、前述した問題に対処するためになされたもので、その目的は、フィンで直進性を維持しながらそのフィンが海苔箱船の保管時に邪魔になることのない海苔箱船を提供することである。
【０００６】
前述した目的を達成するため、本考案に係る海苔箱船の構成上の特徴は、船底面が扁平に形成された海苔箱船において、船底面の後部における船本体の幅方向の中央側部分に、上方に向って窪んだ曲面状凹部を形成し、曲面状凹部内に船本体の前後方向に延びるフィンを設けたことにある。また、この場合、フィンの下端縁部が、船底面から下方に突出しないようにすることが好ましい。
【０００７】
このように構成した本考案に係る海苔箱船においては、船底面に曲面状凹部を形成し、曲面状凹部内にフィンを設けたため、フィンの下端縁部が、船底面から下方に突出しないか、または僅かしか突出しないようにすることができる。このため、海苔箱船を陸上で保管する際に、フィンが破損したり、フィンが邪魔になって、海苔箱船を安定した姿勢で保管できなかったりするといったことを防止することができる。また、船底面の後部に曲面状凹部を形成することによって、海苔箱船の走航時に船首側が上昇し易くなり、スムーズな走航が可能になるという効果も生じる。
【０００８】
すなわち、海苔箱船の走航時に船底面における曲面状凹部側が水流によって引っ張られるようになって船首側が上昇する。そして、船首側が上昇することによって海苔箱船の前面で波を受けることがなくなり海苔箱船はスムーズに走航するようになる。なお、この場合のフィンは、船本体を構成する部分と一体成形により形成することが好ましい。これによって、フィンの形成が容易になるとともに、強度を大きくすることができる。また、船底面が扁平については、平面に限るものでなく所定の幅を備えて全体として略平らな面になっていればよい。すなわち、船底面が凹凸面で構成されていてもよい。
【０００９】
また、本考案に係る海苔箱船の他の構成上の特徴は、船底面における少なくとも前部から中央部にかけての部分を、船本体の幅方向の中央側部分で前後方向に延びた線状突出部と、線状突出部の両側に平行して設けられた線状凹部とで構成したことにある。
【００１０】
これによると、海苔箱船の船底面が、線状突出部と、その両側に設けられた一対の線状凹部とが交互に位置して中央部と両側部分との３箇所が下方に突出したトリマラン形状に形成される。このため、海苔箱船の走航時の直進安定性や保針性をさらに高めることができるとともに、海苔箱船の強度を向上させることができる。また、この場合の線状突出部と一対の線状凹部とは、船底面における前部から中央部にかけての部分だけに設けてもよいし、船底面における曲面状凹部を除く部分全体に設けてもよい。さらに、線状突出部の下方への突出量を小さくするとともに、線状凹部の上方への窪み量を小さくして、全体の凹凸があまり大きくならないようにすることが好ましい。
【００１１】
また、本考案に係る海苔箱船のさらに他の構成上の特徴は、船本体を、平面視が略四角形の箱形に形成し、その箱形の側面における角部に対応する部分を一方の側面から他方の側面に向って滑らかに湾曲した曲面に形成したことにある。これによると、船本体の角部に対応する部分が丸くなるため、海苔箱船が水平面上で回転する際に水面から受ける抵抗が少なくなり、海苔箱船が回転し易くなる。このため、海苔を摘み取る作業時に海苔箱船を方向転換させ易くなり適切な作業を行えるようになる。
【００１２】
また、本考案に係る海苔箱船のさらに他の構成上の特徴は、船本体の前面を、船底面から上方に向って滑らかに湾曲した曲面に形成したことにある。これによると、海苔箱船が走航する際に、船本体の前面に激しい衝撃が加わることが防止され、海苔箱船はスムーズに走航するようになる。特に、海苔箱船が母船に曳航されているときに、船本体の前面に波による激しい衝撃が加わると、波による水が船内に入り込み溜まってしまうことがある。これによって、海苔箱船は重くなり母船の走航性を悪くすることがあるが、本考案は、船本体の前面を、船底面から上方に向って滑らかに曲がった曲面に形成することによって、このような問題を解消した。
【００１３】
また、本考案に係る海苔箱船のさらに他の構成上の特徴は、船本体の後端部における幅方向の中央側部分に、船外機を取り付けるための取付用凹部を形成したことにある。これによると、海苔箱船を母船の曳航により走航させるだけでなく、船外機の作動により単独で走航させることもできる。また、船外機を取付用凹部に設けるため、船外機が外部に突出して邪魔になることを防止できる。
【図面の簡単な説明】
【００１４】
【図１】本考案の一実施形態に係る海苔箱船が走航している状態を示した斜視図である。
【図２】図１に示した海苔箱船の船本体を示した平面図である。
【図３】船本体の側面図である。
【図４】船本体の底面図である。
【図５】（ａ）は船本体の正面図であり、（ｂ）は（ａ）に二点鎖線で示した領域ａの部分を示した断面図である。
【図６】船本体の背面図である。
【図７】船底面に形成された曲面状凹部とフィンとを示した部分斜視図である。
【図８】船底面とフィンとの位置関係を示した背面図である。
【図９】船本体の上面を示した斜視図である。
【図１０】取付用凹部に船外機を取り付けた状態を示した部分斜視図である。
【図１１】海苔箱船を後方から見た状態を示した斜視図である。
【図１２】船本体の内部構造を示した斜視図である。
【図１３】海苔箱船を曳航する状態を示した斜視図である。
【考案を実施するための形態】
【００１５】
以下、本考案の一実施形態に係る海苔箱船を図面を用いて詳しく説明する。図１は、同実施形態に係る海苔箱船１０が水上を走航している状態を示しており、図２ないし図６は、海苔箱船１０の船本体１１を示している。この海苔箱船１０の船本体１１は、平面視が略四角形の箱形に形成されており、周側面１２における各角部に対応する部分がそれぞれ一方の側面から他方の側面にかけて滑らかに湾曲した曲面部１２ａ，１２ｂ，１２ｃ，１２ｄに形成されている。そして、船本体１１の前面部１３は、船底面１４から徐々に上方に向って湾曲した曲面に形成されている。
【００１６】
また、船底面１４における前面部１３の下端部との境界部分から後部側にかけての部分には、船底面１４の幅方向の中央に、下方に向って緩やかに突出するとともに前後方向に延びる線状突出部１４ａが形成されている。そして、線状突出部１４ａの両側に、線状突出部１４ａと平行して上方に向って緩やかに窪んだ一対の線状凹部１４ｂ，１４ｃが形成されている。したがって、船底面１４（後述する後部中央側の曲面状凹部１５を除いた部分）は、幅方向における中央側部分と両側部分とが下方に向って突出するとともに、中央部と両側部分との間の部分がそれぞれ上方に向って窪んだ４つの平面からなるトリマラン形状に形成されている。
【００１７】
そして、船底面１４の後部における幅方向の中央側部分（線状凹部１４ｂ，１４ｃの間の部分）には、曲面状凹部１５が形成され、その曲面状凹部１５内にフィン１６が形成されている。曲面状凹部１５は、前部側よりも後部側が高くなるとともに、幅方向の両側よりも中央側が高くなるように窪んだ凹部で構成されており、図４および図７に示したように底面側から見ると、半楕円状に形成されている。そして、曲面状凹部１５内における幅方向の中央に、曲面状凹部１５の前端から後端に向って延びるフィン１６が形成されている。
【００１８】
このフィン１６の下端縁部は、図８に示したように、線状突出部１４ａの下端部と略等しい高さに位置して、フィン１６が船底面１４から下方に突出しないように形成されている。また、フィン１６は、船本体１１の船底面１４や周側面１２を構成する外郭部１１ａと一体成形により一体的に形成されている。そして、船本体１１の後端部における幅方向の中央部には、船外機１７を取り付けるための取付用凹部１８が形成されている。この取付用凹部１８は、船本体１１の底部から上部にかけて形成されており、幅が曲面状凹部１５の後端部の幅の略１／３程度に設定されている。また、前面部１３の両側部分には一対の凹部１３ａ，１３ｂが形成され、この凹部１３ａ，１３ｂ内にそれぞれフック１９ａ，１９ｂが取り付けられている。
【００１９】
また、図９に示したように、船本体１１の上面には、二段構造になった槽２１が形成されている。この槽２１は、摘み取った海苔を溜めたり、養殖網を酸処理する場合に酸液を溜めたりするためのもので、海苔箱船１０が波によって揺れ動いたときに、内部の液体等を揺動させ難くするために内部に段差が設けられている。すなわち、この槽２１は、船本体１１の床面部１１ｂの上面に大きく開口した略箱状の槽上部２２と、槽上部２２の中心部よりも後部側に位置をずらして設けられ、開口面積が槽上部２２の略１／４程度に設定された槽下部２３とで構成されている。
【００２０】
そして、槽下部２３の底面における槽下部２３の中心部よりも後部側に位置をずらした部分に吸引および吐出用の開口部２４が形成されている。槽上部２２は、上端縁部の高さが、船本体１１の周縁部上端と略同じ高さになるように形成された四角枠状の周壁部２２ａと、周壁部２２ａの下端部から槽下部２３に向って下方に傾斜した４つの面からなる傾斜底面２２ｂとで構成されている。すなわち、傾斜底面２２ｂを構成する４つの面は、それぞれ周壁部２２ａの下端部から槽下部２３の周縁部に向う下り傾斜面に形成されており、槽上部２２は、漏斗状に形成されている。
【００２１】
そして、図５（ｂ）に示したように、槽上部２２の周壁部２２ａの上端部には、屈曲して内部側に曲がったのちにさらに屈曲して下方に延びる折り返し部２２ｃが形成されている。この折り返し部２２ｃによって、海苔箱船１０が揺れたときに、槽２１内の酸液が外部にこぼれにくくなっている。なお、図５（ｂ）は、図５（ａ）に二点鎖線で示した領域ａの部分の断面を示している。また、槽下部２３は、槽上部２２の傾斜底面２２ｂの下端部から下方に延びる高さ方向の長さの短い周壁部２３ａと、周壁部２３ａの下端部から開口部２４に向って下方に傾斜した４つの面からなる傾斜底面２３ｂとで構成されている。このため、槽下部２３も漏斗状に形成されており、槽上部２２と槽下部２３とで二段状の漏斗状形状が形成されている。そして、開口部２４から船本体１１の側部に向って配管２５が延びている。
【００２２】
この配管２５は、開口部２４から一旦後方に延びたのちに屈曲して船本体１１の側部に向って延びている。そして、配管２５の先端開口部には、吸引装置（図示せず）が連結されて、槽２１内に溜まった海苔を配管２５を介して吸引して船本体１１外に取り出したり、酸液供給装置（図示せず）が連結されて、配管２５を介して槽２１内に酸液を供給したりする。また、船本体１１の上面における後部の両側には、ステップ台２６ａ，２６ｂが設けられており、このステップ台２６ａ，２６ｂの上に海苔箱船１０を操縦する操縦者が座ったり、立ったりして作業を行うことができる。
【００２３】
そして、船本体１１の後部における取付用凹部１８の前壁部１８ａは、船外機１７を取り付けるために利用されており、図１０および図１１に示したようにして船外機１７は船本体１１に取り付けられている。また、船本体１１の内部における床面部１１ｂの下面側には、図１２に示したように、木製の枠状部材２７が格子状に形成されており、その枠状部材２７の各空間部にウレタンからなる充填材（図示せず）が設置されている。
【００２４】
これによって、海苔箱船１０が軽量、かつ強固に形成されている。また、海苔箱船１０の外郭部１１ａや床面部１１ｂは、ＦＲＰ（繊維強化プラスチック）で構成されている。また、図示していないが、この海苔箱船１０の上面には、回転式海苔摘み器が設置され、この回転式海苔摘み器により海苔の摘み取りが行われる。この回転式海苔摘み器は、カッターが回転して海苔を刈り取ることのできる構造を備えた装置で構成されている。
【００２５】
つぎに、以上のように構成された海苔箱船１０を用いて海苔の摘み取りを行う場合について説明する。この場合、まず、図１３に示したように、前面部１３の凹部１３ａ，１３ｂに取り付けられたフック１９ａ，１９ｂにロープ２８を接続し、ロープ２８の先端部を母船（図示せず）の後部に連結する。そして、母船に曳航させて海苔箱船１０を養殖網が設置された養殖場まで走航させる。この場合、船底面１４の線状突出部１４ａおよび線状凹部１４ｂ，１４ｃとフィン１６との作用によって、海苔箱船１０は、直進性および保針性を維持するとともに、曲面に形成された前面部１３によって、水の抵抗を小さくした状態でスムーズに走航する。また、前面部１３の凹部１３ａ，１３ｂに取り付けられたフック１９ａ，１９ｂにロープ２８を接続することにより曳航時に船首部を上方に上げる作用が働くようになり、母船の走航性がよくなるという効果も生じる。
【００２６】
なお、この場合、母船を用いず、船外機１７を作動させることにより、海苔箱船１０だけを養殖場に向って走航させてもよい。また、その走航の際に、海苔箱船１０を方向転換させる際には、海苔箱船１０の周側面１２における各角部がそれぞれ曲面部１２ａ，１２ｂ，１２ｃ，１２ｄに形成されているため、水からの抵抗を受け難くなり、海苔箱船１０は容易に方向転換することができる。そして、養殖場で海苔の摘み取りを行うときには、海苔箱船１０を養殖網の下にもぐらせた状態で前進させていく。これによって、養殖網に育成された海苔は、順次回転式海苔摘み器によって摘み取られて、槽２１内に落下していく。
【００２７】
そして、所定量の海苔が槽２１内に溜まると、配管２５の先端開口部に吸引装置を連結して、吸引装置を作動させることにより槽２１内に溜まった海苔を配管２５を介して吸引して海苔箱船１０の外部に回収する。つぎに、吸引装置による海苔の取出しが終わると、配管２５の先端開口部に酸液供給装置を連結して、槽２１内に、酸液を供給する。そして、海苔が摘み取られた養殖網を、順次、酸液が溜まった槽２１内に浸けて酸処理を行う。この酸液によって、切断された海苔の断面が塞がれて細菌で海苔が侵されることが防止される。このため、養殖網に残った海苔は所定期間経過したのちに再度摘み取ることができるまでに成長できるようになる。そして、養殖網の酸処理が終了すると、配管２５の先端開口部に再度吸引装置を連結して、槽２１内の酸液を排出する。
【００２８】
また、海苔の摘み取り作業が終了して、海苔箱船１０を所定期間使用しない場合には、海苔箱船１０を陸上の保管場所に保管する。この場合、フィン１６が船底面１４から下方に突出しないため、平面状の設置場所に船底面１４を接触させたまま海苔箱船１０を保管しておくことができる。また、陸上で海苔箱船１０を移動させる場合に、海苔箱船１０を引きずってもフィン１６が突出していないため破損することはない。したがって、海苔箱船１０の保管場所や移動方法を考慮せずにすむため、保管時の取扱いが容易になる。
【００２９】
このように、本実施形態に係る海苔箱船１０では、船底面１４に曲面状凹部１５を形成し、曲面状凹部１５内にフィン１６を設けたため、海苔箱船１０を陸上で保管する際に、フィン１６が破損したり、フィン１６が邪魔になって、海苔箱船１０を安定した姿勢で保管できなかったりするといったことがなくなる。また、船底面１４の後部に曲面状凹部１５を形成したため、海苔箱船１０の走航時に曲面状凹部１５側が水流によって引っ張られるようになって船首側が上昇する。このため、海苔箱船１０の前面部１３で波を受けることが少なくなり海苔箱船１０はスムーズに走航するようになる。
【００３０】
また、本実施形態に係る海苔箱船１０では、船底面１４が、線状突出部１４ａと、その両側に設けられた線状凹部１４ｂ，１４ｃとが交互に位置して中央部と両側部分との３箇所が突出したトリマラン形状に形成されている。このため、海苔箱船１０の走航時の直進性や保針性を高めることができるとともに、海苔箱船１０の強度を向上させることができる。さらに、船本体１１の角部に対応する部分に曲面部１２ａ，１２ｂ，１２ｃ，１２ｄを形成したため、海苔箱船１０の角部側部分が水面から受ける抵抗が少なくなり、回転し易くなる。このため、海苔を摘み取る作業時に海苔箱船１０を方向転換させ易くなり適切な作業を行えるようになる。
【００３１】
また、船本体１１の前面部１３を曲面に形成したため、海苔箱船１０が走航する際に、船本体１１の前面部１３に激しい衝撃が加わることが防止され、海苔箱船１０はスムーズに走航するようになる。また、船本体１１の後端部における幅方向の中央側部分に、船外機１７を取り付けるための取付用凹部１８を形成したため、海苔箱船１０を母船の曳航により走航させるだけでなく、船外機１７の作動により単独で走航させることもできる。また、船外機１７を取付用凹部１８に設けるため、船外機１７が外部に突出して邪魔になることを防止できるとともに、船外機１７の取り付けが容易になる。
【００３２】
本考案に係る海苔箱船は、前述した実施形態に限るものでなく、適宜変更して実施することができる。例えば、前述した実施形態では、フィン１６の下端縁部が、船底面１４から下方に突出しないようにしているが、保管時に支障が生じない程度の突出量であれば、フィン１６を船底面１４から下方に突出させてもよい。また、前述した実施形態では、線状突出部１４ａと一対の線状凹部１４ｂ，１４ｃとを、船底面１４における曲面状凹部１５を除く部分全体に設けているが、この線状突出部１４ａと一対の線状凹部１４ｂ，１４ｃとは、船底面１４における前部から中央部にかけての部分だけに設けてもよい。
【００３３】
また、船底面１４における前部から中央部と後部との間の部分にかけて設けてもよい。さらに、船底面１４は、平面状に形成してもよいし、複数の線状突出部１４ａとそれに応じた線状凹部１４ｂ，１４ｃを設けた形状に形成してもよい。また、海苔箱船を構成する各部分の材料や構造についても本考案の技術的範囲内で適宜変更することができる。
【符号の説明】
【００３４】
１０…海苔箱船、１１…船本体、１２ａ，１２ｂ，１２ｃ，１２ｄ…曲面部、１３…前面部、１４…船底面、１４ａ…線状突出部、１４ｂ，１４ｃ…線状凹部、１５…曲面状凹部、１６…フィン、１７…船外機、１８…取付用凹部。
【図１】
0003153119.tif 000003
【図２】
0003153119.tif 000004
【図３】
0003153119.tif 000005
【図４】
0003153119.tif 000006
【図５】
0003153119.tif 000007
【図６】
0003153119.tif 000008
【図７】
0003153119.tif 000009
【図８】
0003153119.tif 000010
【図９】
0003153119.tif 000011
【図１０】
0003153119.tif 000012
【図１１】
0003153119.tif 000013
【図１２】
0003153119.tif 000014
【図１３】
0003153119.tif 000015